(57)【要約】【課題】固体燃料を燃焼させる際に燃焼ガスと空気との反応を促成して完全燃焼を行わせて煙の発生を抑制すること。【解決手段】本発明では、上下に貫通する複数の吸気孔（４）を有する燃焼床（３）の上部に固体燃料を載置する燃焼具（１）において、燃焼床（３）の下部に燃焼床（３）の下面に沿って空気を流入させるための吸入口（６）を形成することにした。また、本発明では、前記燃焼床（３）の下部に前記吸入口（６）から流入する空気を前記燃焼床（３）の下方で旋回させるための旋回板（７）を形成することにした。さらに、本発明では、前記燃焼床（３）の旋回板（７）よりも内側に前記吸気孔（４）よりも大きな連通孔（８）を設けることにした。【選択図】図１
2020034194.tif 000002
【特許請求の範囲】
【請求項１】
上下に貫通する複数の吸気孔を有する燃焼床の上部に固体燃料を載置する燃焼具において、
燃焼床の下部に燃焼床の下面に沿って空気を流入させるための吸入口を形成したことを特徴とする燃焼具。
【請求項２】
前記燃焼床の下部に前記吸入口から流入する空気を前記燃焼床の下方で旋回させるための旋回板を形成したことを特徴とする請求項１に記載の燃焼具。
【請求項３】
前記燃焼床の旋回板よりも内側に前記吸気孔よりも大きな連通孔を設けたことを特徴とする請求項２に記載の燃焼具。
【発明の詳細な説明】
【技術分野】
【０００１】
本発明は、燃焼床に載置した固体燃料を用いて燃焼を行わせる燃焼具に関するものである。
【背景技術】
【０００２】
近年、木材の有効活用を図るために、木質チップや木質ペレットなどの木質の固体燃料が使用されてきている。
【０００３】
この木質の固体燃料を燃焼させるための装置（燃焼具）としては、上下に貫通する複数の吸気孔を有する燃焼床の上部に固体燃料を載置し、燃焼床の下方から上方へ向けて鉛直上向きに空気を供給する構成となっている（たとえば、特許文献１参照。）。
【０００４】
そして、従来の燃焼具では、燃焼床の上部で固体燃料から気化した燃焼ガスと燃焼床の吸気孔から鉛直上向きに供給される空気とを反応させて、燃焼床の上部で燃焼を行わせるようになっている。
【先行技術文献】
【特許文献】
【０００５】
【特許文献１】特開２０１７−６７４２５号公報
【発明の概要】
【発明が解決しようとする課題】
【０００６】
ところが、上記従来の燃焼具では、燃焼床の下部において空気が下方から上方へ向けて鉛直上向きに供給されるために、空気の流速が速く、燃焼ガスとの反応が十分に行われず、不完全燃焼を起こして多量の煙を排出していた。
【課題を解決するための手段】
【０００７】
そこで、請求項１に係る本発明では、上下に貫通する複数の吸気孔を有する燃焼床の上部に固体燃料を載置する燃焼具において、燃焼床の下部に燃焼床の下面に沿って空気を流入させるための吸入口を形成することにした。
【０００８】
また、請求項２に係る本発明では、前記請求項１に係る本発明において、前記燃焼床の下部に前記吸入口から流入する空気を前記燃焼床の下方で旋回させるための旋回板を形成することにした。
【０００９】
また、請求項３に係る本発明では、前記請求項２に係る本発明において、前記燃焼床の旋回板よりも内側に前記吸気孔よりも大きな連通孔を設けることにした。
【発明の効果】
【００１０】
そして、本発明では、以下に記載する効果を奏する。
【００１１】
すなわち、本発明では、上下に貫通する複数の吸気孔を有する燃焼床の上部に固体燃料を載置する燃焼具において、燃焼床の下部に燃焼床の下面に沿って空気を流入させるための吸入口を形成することにしているために、空気と燃焼ガスとの反応を十分に行わせて完全燃焼させることができ、煙の発生量を抑制することができる。
【００１２】
特に、燃焼床の下部に吸入口から流入する空気を燃焼床の下方で旋回させるための旋回板を形成した場合には、火炎の表面積を増大させることができ、燃焼を促進させることができる。
【００１３】
また、燃焼床の旋回板よりも内側に吸気孔よりも大きな連通孔を設けた場合には、吸入口から連通孔へ向けて空気を円滑に流すことができ、これによっても、火炎の表面積を増大させることができ、燃焼を促進させることができる。
【図面の簡単な説明】
【００１４】
【図１】燃焼具の使用状態を示す平面図（ａ）、同側面断面図（ｂ）。
【図２】燃焼具を示す平面図（ａ）、底面図（ｂ）、側面図（ｃ）。
【発明を実施するための形態】
【００１５】
以下に、本発明に係る燃焼具の具体的な構成について図面を参照しながら説明する。
【００１６】
本発明は、木質チップや木質ペレットなどの木質の固体燃料を蒸発燃焼させる際に、地面や床などの上に直接載置して使用したり、或は、図１に示すように、容器２の内側に載置して使用する燃焼具１であり、暖房器具や加熱調理器具などの燃焼部に適用することができるものである。
【００１７】
この燃焼具１は、図１及び図２に示すように、固体燃料を載置するための平板状の燃焼床３に上下に貫通する複数の吸気孔４を形成している。なお、燃焼床３は、平面視で矩形状に限られず、円形状や多角形状などであってもよい。また、複数の吸気孔４は、燃焼床３に均等に分布させて配設してもよく、燃焼床３の外縁から中心に向けて漸次密となるように分散させて配設してもよい。
【００１８】
また、燃焼具１は、燃焼床３の外縁下部に所定の高さの複数の脚体５を間隔をあけて形成している。各脚体５は、水平方向に伸延する燃焼床３に対して直交するように垂直方向に伸延させている。これにより、燃焼具１は、燃焼床３の外縁下部において、隣接する脚体５の間に垂直に向けて（燃焼床３と直交する方向に向けて）外部から燃焼床３の下方に空気を流入させるための吸入口６が形成される。
【００１９】
このように、燃焼具１では、吸入口６が燃焼床３と直交する向きに形成されているために、外部から吸入口６を介して燃焼床３の下方に吸入した空気が、燃焼床３の下面（水平面）に沿って水平に流れることになる。
【００２０】
また、燃焼具１は、燃焼床３の下部であって吸入口６（脚体５）よりも内側（燃焼床３の中央側）に空気を旋回させるための複数の旋回板７を形成している。各旋回板７は、水平方向に伸延する燃焼床３に対して直交するように垂直方向に伸延させている。また、旋回板７は、吸入口６と対向する位置に吸入口６に対して同一方向（燃焼床３の中央に向けた方向）に傾斜させている。これにより、燃焼具１では、燃焼床３の下部において、各吸入口６から吸入した空気が各旋回板７の作用で燃焼床３の下面に沿ってゆっくりと旋回しながら燃焼床３の中央に向けて流れるようになっている。
【００２１】
さらに、燃焼具１は、燃焼床３の旋回板７よりも内側（燃焼床３の中央）に上下に貫通する連通孔８を形成している。連通孔８は、吸気孔４よりも大きな開口面積としている。
【００２２】
この燃焼具１は、たとえば、図１に示すように、支持体９で支持された逆ピラミッド型の容器２の内側に燃焼床３が水平になるように載置され、燃焼床３の上部に固体燃料を載置して使用される。
【００２３】
その際に、固体燃料に着火すると、固体燃料が気化して燃焼ガスが発生する。また、燃焼用の空気は、外部から燃焼具１の吸入口６に流入し、燃焼床３の下面に沿って旋回状に流れる。
【００２４】
そして、燃焼具１では、空気が燃焼床３の下面に沿って流れるために、燃焼具１の各吸気孔４では、下側の空気の流れの作用で負圧が生じて上側から下側へ向けて流れる力が発生する。そのため、燃焼床３の上部で気化した燃焼ガスが吸気孔４から燃焼床３の下面側にまで流れ込み、燃焼床３の下面側でも燃焼ガスと空気とが反応して燃焼が行われる。また、燃焼に寄与しなかった余剰の空気は、中央側の吸気孔４や連通孔８から燃焼床３の上面側に流れ込み、燃焼床３の上面側で燃焼ガスと反応して燃焼が行われる。
【００２５】
以上に説明したように、上記燃焼具１は、燃焼床３の下部に燃焼床３の下面に沿って空気を流入させるための吸入口６を形成した構成となっている。
【００２６】
そのため、上記構成の燃焼具１では、燃焼床３の下面に沿って流れる空気の作用で吸気孔４から燃焼ガスの一部を吸引して燃焼床３の下部でも燃焼を行わせることができるので、空気と燃焼ガスとの反応を十分に行わせて完全燃焼させることができ、煙の発生量を抑制することができる。
【００２７】
また、上記燃焼具１は、燃焼床３の下部に吸入口６から流入する空気を燃焼床３の下方で旋回させるための旋回板７を形成した構成となっている。
【００２８】
そのため、上記構成の燃焼具１では、燃焼床３の下方で空気をゆっくりと旋回させながら流すことができるので、火炎の表面積を増大させることができ、燃焼を促進させることができる。
【００２９】
また、上記燃焼具１は、燃焼床３の旋回板７よりも内側に吸気孔４よりも大きな連通孔８を設けた構成となっている。
【００３０】
そのため、上記構成の燃焼具１では、吸入口６から連通孔８へ向けて空気を円滑に流すことができるので、これによっても、火炎の表面積を増大させることができ、燃焼を促進させることができる。
【符号の説明】
【００３１】
１  燃焼具                              ２  容器
３  燃焼床                              ４  吸気孔
５  脚体                                ６  吸入口
７  旋回板                              ８  連通孔
９  支持体
【図１】
2020034194.tif 000003
【図２】
2020034194.tif 000004